(57)【要約】    【課題】  注射以外の方法により液剤を供給又は投与するために使用される医療用容器が静脈注射による投与に使用される誤接続を、より効果的に防止し得る医療用容器を提供する。    【解決手段】  内部に液状組成物を収容する可撓性の容器本体２と、容器本体２に突出するようにして取り付けられた密閉口部３と、密閉口部３の液剤排出用チューブ接続部位を被覆し且つ容器本体上に延びるシール４と、を有し、シール４は、容器本体上に載る部分に注射を禁止する旨の注意喚起表示部５を有するとともに、容器本体上に載る部分の少なくとも一部が容器本体２に貼着されていることとした。【選択図】    図１
0003117966.tif 000002
【実用新案登録請求の範囲】
【請求項１】
内部に液状組成物を収容する可撓性の容器本体と、該容器本体に突出するようにして取り付けられた密閉口部と、前記密閉口部の液剤排出用チューブ接続部位を被覆し且つ容器本体上に延びるシールと、を有し、
前記シールは、容器本体上に載る部分に注射を禁止する旨の注意喚起表示部を有するとともに、容器本体上に載る部分の少なくとも一部が容器本体に貼着されていることを特徴とする、医療用容器。
【請求項２】
前記シールの容器本体に載る部分が、前記容器本体に取り外し可能に貼着されていることを特徴とする請求項１記載の医療用容器。
【請求項３】
前記シールは、前記シールの容器本体に載る部分であって前記注意喚起表示部を含む第１の部分と、前記シールの液剤排出用チューブ接続部位を被覆する部分を含む第２の部分との間に、両者を切り離すためのミシン目が形成され、その切り離しに要する力より強い接着力によって前記第１の部分が容器本体に貼着されていることを特徴とする請求項１記載の医療用容器。
【考案の詳細な説明】
【技術分野】
【０００１】
本考案は、内服液剤、濃厚流動食、眼灌流液、眼洗浄液、腹膜透析液、人工透析液、外科手術に使用される創部洗浄液、脳外科手術に使用される人工髄液などの、注射以外の方法で供給又は投与される医療用液状組成物を収容する医療用容器に関するものである。
【背景技術】
【０００２】
従来、経腸栄養ラインを通じた内服液剤投与など、注射以外の方法によって供給又は投与（以下、投与等と言う。）される液状組成物を収容する医療用容器は、静脈注射による投与が行われないように、例えば、容器本体に、「禁注射」等の注射を禁止する旨の注意喚起表示が印刷等により設けられている。
【考案の開示】
【考案が解決しようとする課題】
【０００３】
容器本体への注意喚起表示だけでも、経腸栄養ライン等と輸液ラインとの誤接続は防止できるが、より効果的に注意喚起することが望まれる。
【０００４】
そこで本考案は、注射以外の方法により投与等される医療用液状組成物が収容された医療用容器が、静脈注射による投与に使用される誤接続を、より効果的に防止し得る医療用容器を提供することを目的とする。
【課題を解決するための手段】
【０００５】
上記目的を達成するため、本考案に係る医療用容器は、内部に液状組成物を収容する可撓性の容器本体と、該容器本体に突出するようにして取り付けられた密閉口部と、前記密閉口部の液剤排出用チューブ接続部位を被覆し且つ容器本体上に延びるシールと、を有し、前記シールは、容器本体上に載る部分に注射を禁止する旨の注意喚起表示部を有するとともに、容器本体上に載る部分の少なくとも一部が容器本体に貼着されていることを特徴とする。
【０００６】
前記シールの容器本体に載る部分は、前記容器本体に取り外し可能に貼着されていることが好ましい。
【０００７】
前記シールは、前記シールの容器本体に載る部分であって前記注意喚起表示部を含む第１の部分と、前記シールの液剤排出用チューブ接続部位を被覆する部分を含む第２の部分との間に、両者を切り離すためのミシン目が形成され、その切り離しに要する力より強い接着力によって前記第１の部分が容器本体に貼着されていても良い。
【考案の効果】
【０００８】
本考案に係る医療用容器によれば、容器本体突出する密閉口部がシールによって被覆してあるため、容器内部の液状組成物を排出させるためのチューブを密閉口部に接続するにはシールを矧がす必要があるが、その矧がす際には、シールの少なくとも容器本体上に載る部分にある注射禁止の注意喚起表示部を見ることとなり、上記のような誤接続をより効果的に防止することができる。
【０００９】
前記シールの容器本体に載る部分以外の部分を前記シールの容器本体に載る部分から切り離し可能にするミシン目を形成し、その切り離しに要する力より強い接着力によって前記シールの容器本体に載る部分を前記容器本体に貼着しておけば、切り離し後においても注意喚起表示部が容器本体に残り、注意喚起効果を持続し得る。
【考案を実施するための最良の形態】
【００１０】
本考案に係る医療用容器の好ましい実施形態について以下に図１〜４を参照して説明する。なお、全図を通し、同様の構成部分には同符号を付した。
【００１１】
医療用容器１は、図１に示すように、内部に医療用の液状組成物を収容する可撓性の容器本体２と、容器本体２内の液状組成物を排出するための密閉口部３と、密閉口部３の液剤排出用チューブ接続部位を被覆するシート状のシール４と、を有している。
【００１２】
密閉口部３は、容器本体２の側縁から突出するようにして、容器本体２に取り付けられている。密閉口部３は、一般にはプラスチック製の筒状体である。密閉口部３の液剤排出用チューブ接続部位は、種々形態のものが知られているが、一般には、専用のプラスチック瓶針が接続できるよう円筒形で、その内部に薄膜隔壁を有しており、差し込み側に樹脂製のフィルムがヒートシールされていることが多く、薄膜隔壁がなくキャップで密封された形態のもの等もある。
【００１３】
容器本体２は、樹脂製のフィルムによって形成されており、容器本体２の周縁２ａがヒートシールによって熱溶着されており、樹脂製の密閉口部３もヒートシールによって容器本体２の周縁に熱溶着されている。なお、容器本体２は、図示省略しているが、１室容器の他、弱シールによって仕切られた複室容器であっても良い。
【００１４】
シール４は、密閉口部３の液剤排出用チューブ接続部位から容器本体２上にまで延びている。シール４の容器本体上に載る部分の表面には、注射を禁止する旨の注意喚起表示部５が、例えば赤地に白抜きの文字によって形成されている。勿論、注意喚起表示は、シール４のその他の部分や、容器本体２に有っても良い。
【００１５】
シール４の容器本体２上の部分は、その一部又は略全部が容器本体２に貼着されている。シール４の容器本体上の部分を貼着しておけば、搬送中に折れ曲がって注意喚起表示部が隠れてしまうことがない。斯かる貼着部位は、粘着材等によって容器本体２に取り外し可能に貼着することができる。シール４の容器本体上の部分を全面糊付けすると矧がし難くなるので、例えば、角の部分を糊付けしないでおいて、矧がし易くしておくことが望ましい。
【００１６】
シール４は、容器本体２への粘着材等による貼着に加えて、密閉口部３の端面（例えば、ゴム栓３ａの周囲のプラスチック部分３ｂ）に熱溶着しても良い。
【００１７】
シール４が容器本体２上に延長する長さは、少なくともヒートシールされた容器本体の周縁部に被ることが好適であるが、シール４の容器本体２上での幅も含め、容器本体２の他の表示やコスト等との関係により、適宜設計される。図３は、シール４のサイズを変更した変更態様を示している。
【００１８】
上記構成を有する医療用容器１は、使用に際してシール４を矧がさなければならず、シールを矧がす際には必然的に注意喚起の表示が目に入るので、誤接続をより効果的に防止するのに役立つ。
【００１９】
図４は、本考案に係る医療用容器の他の実施形態を示している。図４に示すように、シール４は、ミシン目６によって第１の部分４ａと第２の部分４ｂとに仕切られている。第１の部分は、シール４の容器本体２に載る部分であって注意喚起表示部５を含み、第２の部分４ｂは、液剤排出用チューブ接続部位（図２の符号３ａに相当する部位）を被覆する部分を含む。シール４の第１の部分４ａをヒートシールあるいは強接着剤によって容器本体２に溶着もしくは接着する等して、ミシン目６の切り離しに要する力より強い接着力によってシール４の第１の部分４ａを容器本体２に貼着しておくことが好ましい。
【００２０】
図４に示す例では、医療用容器１の使用に際して、シール４の第２の部分４ｂを指で引っ張ることによってミシン目６のところで切り離す。ミシン目６によって切り離し後においても注意喚起表示部５が容器本体２に残るため、注意喚起効果が持続する効果がある。
【図面の簡単な説明】
【００２１】
【図１】本考案に係る医療用容器の第１実施形態を示す要部斜視図である。
【図２】図１の医療用容器の使用状態を示す要部斜視図である。
【図３】図１の医療用容器の変更態様を示す平面図である。
【図４】本考案に係る医療用容器の第２実施形態を示す平面図である。
【符号の説明】
【００２２】
１  医療用容器
２  容器本体
３  密閉口部
４  シール
５  注意喚起表示部
６  ミシン目
【図１】
0003117966.tif 000003
【図２】
0003117966.tif 000004
【図３】
0003117966.tif 000005
【図４】
0003117966.tif 000006